(57)【要約】【課題】本発明は、楔の損傷を低減しつつ、楔及びロープ末端部の交換作業をより容易に行うことができる楔式ロープ留め装置用治具を得ることを目的とするものである。【解決手段】楔式ロープ留め装置用治具７は、ソケット２に着脱可能な支持体８と、支持体８に設けられた支点軸９を中心に回動可能な回動レバー１０とを有している。回動レバー１０は、支点軸９に取り付けられるレバー本体１４と、レバー本体１４の端部に取り付けられる円柱状の押圧ピン（押圧部）１５とを有している。レバー本体１４は、棒状の持ち手部（加重部）１６と、持ち手部１６の端部から分岐して互いに対向する一対の分岐部１７とを有している。押圧ピン１５及び持ち手部１６は、支点軸９を中心とする回動レバー１０の回動により互いに逆方向へ変位される。【選択図】図１
2010216519.tif 000002
【特許請求の範囲】
【請求項１】
楔及び上記楔に巻かれたロープ末端部が挿入される通し穴が設けられたソケットに着脱可能な支持体、及び
上記支持体に設けられた支点軸を中心に回動可能で、上記支点軸を中心とする回動により互いに逆方向へ変位される加重部及び押圧部を有する回動レバー
を備え、
上記支持体が上記ソケットに取り付けられているときの上記押圧部は、外部からの力を上記加重部が受けて上記回動レバーが回動されることにより、上記通し穴に挿入する方向及び上記通し穴への挿入が外れる方向のいずれかへ上記楔及びロープ末端部に押圧力を与えることを特徴とする楔式ロープ留め装置用治具。
【請求項２】
上記支持体は、係合部を有しており、
上記ソケットには、上記通し穴の開口部の外縁部に上記係合部が係合することにより上記支持体が取り付けられることを特徴とする請求項１に記載の楔式ロープ留め装置用治具。
【請求項３】
上記支持体は、棒状部と、上記棒状部に設けられた係合部とを有し、
上記ソケットの外周部には、貫通穴が設けられた突起部が設けられており、
上記ソケットには、上記棒状部が上記貫通穴に通された状態で上記係合部が上記突起部に係合することにより上記支持体が取り付けられることを特徴とする請求項１に記載の楔式ロープ留め装置用治具。
【請求項４】
上記支持体は、係合部を有しており、
上記ソケットには、上記ソケットに固定されたロッドに上記係合部が係合することにより上記支持体が取り付けられることを特徴とする請求項１に記載の楔式ロープ留め装置用治具。
【発明の詳細な説明】
【技術分野】
【０００１】
本発明は、例えばエレベータなどのロープ末端部をソケットに接続するための楔式ロープ留め装置に使用される楔式ロープ留め装置用治具に関するものである。
【背景技術】
【０００２】
従来、楔及びロープ末端部の交換作業を行うために、楔の両側面に凹部を設け、ソケット部材の両側面に貫通穴を設けたロープ留め装置が提案されている。楔及びロープ末端部は、ドライバの先端部を貫通穴からソケット部材内に挿入し、ドライバの先端部を凹部の内壁面に当接させ、治具の後端部を木槌などで叩くことにより、交換可能となっている（例えば、特許文献１参照）。
【先行技術文献】
【特許文献】
【０００３】
【特許文献１】特開２００１−１６５２４５号公報
【発明の概要】
【発明が解決しようとする課題】
【０００４】
しかしながら、従来技術には、以下のような課題がある。
楔及びロープ末端部の交換作業を行うために、ドライバの先端部を凹部の内壁面に当接させ、ドライバの後端部を木槌などで叩く作業が必要となるので、楔が損傷してしまうとともに、楔及びロープ末端部の交換作業に手間が掛かってしまう。
【０００５】
本発明は、上記のような課題を解決するためになされたものであり、楔の損傷を低減しつつ、楔及びロープ末端部の交換作業をより容易に行うことができる楔式ロープ留め装置用治具を得ることを目的とする。
【課題を解決するための手段】
【０００６】
本発明に係る楔式ロープ留め装置用治具では、楔及び楔に巻かれたロープ末端部が挿入される通し穴が設けられたソケットに着脱可能な支持体、及び支持体に設けられた支点軸を中心に回動可能で、支点軸を中心とする回動により互いに逆方向へ変位される加重部及び押圧部を有する回動レバーを備え、支持体がソケットに取り付けられているときの押圧部は、外部からの力を加重部が受けて回動レバーが回動されることにより、通し穴に挿入する方向及び通し穴への挿入が外れる方向のいずれかへ楔及びロープ末端部に押圧力を与えるものである。
【発明の効果】
【０００７】
本発明に係る楔式ロープ留め装置用治具によれば、支点軸を中心とする回動により互いに逆方向へ変位される加重部及び押圧部を有している回動レバーが支持体に対して支点軸を中心に回動可能となっており、支持体がソケットに取り付けられているときの押圧部は、外部からの力を加重部が受けて回動レバーが回動されることにより、通し穴に挿入する方向及び通し穴への挿入が外れる方向のいずれかへ楔及びロープ末端部に押圧力を与えるようになっているので、ドライバの先端部を凹部の内壁面に当接させ、ドライバの後端部を木槌などで叩くといった作業が不要となり、楔の損傷を防止しつつ、楔及びロープ末端部の交換作業をより容易に行うことができる。
【図面の簡単な説明】
【０００８】
【図１】本発明の実施の形態１によるエレベータの楔式ロープ留め装置及び楔式ロープ留め装置用治具を示す断面図である。
【図２】図１の支持体を示す斜視図である。
【図３】図１の回動レバーを示す斜視図である。
【図４】図１の係合部が第２の開口部の外縁部に係合されている状態を示す要部断面図である。
【図５】本発明の実施の形態２によるエレベータの楔式ロープ留め装置及び楔式ロープ留め装置用治具を示す断面図である。
【図６】図５のソケットを示す斜視図である。
【図７】本発明の実施の形態３によるエレベータの楔式ロープ留め装置及び楔式ロープ留め装置用治具を示す側面図である。
【図８】図７の支持体を示す斜視図である。
【発明を実施するための形態】
【０００９】
以下、本発明を実施するための形態について、図面を参照して説明する。
実施の形態１．
図１は本発明の実施の形態１によるエレベータの楔式ロープ留め装置及び楔式ロープ留め装置用治具を示す断面図、図２は図１の支持体を示す斜視図、図３は図１の回動レバーを示す斜視図である。図において、楔式ロープ留め装置１は、ソケット２と、ソケット２の上端部（図１の上側）に固定されている棒状のロッド３と、ソケット２に挿入される楔部材４とを有している。
【００１０】
ソケット２には、楔部材４及び楔部材４に巻かれたロープ５が挿入されるロープ通し穴６が設けられている。ロープ通し穴６は、ソケット２の中間部に設けられている第１の開口部６ａと、ソケット２の先端部（ソケット２のロッド３から離れた側の端部）に設けられている第２の開口部６ｂとを有している。
【００１１】
ロープ通し穴６の内径は、ソケット２の先端部で最も小さくなっており、第１の開口部６ａに近づくに従って連続的に大きくなっている。即ち、第２の開口部６ｂの内径は、第１の開口部６ａの内径よりも小さくなっている。
【００１２】
ロッド３は、ソケット２の上端部から上方へ延出している。ロッド３の延出端部は、例えばエレベータのかごや釣合重りなどに固定される。
【００１３】
楔部材４は、第１の開口部６ａから挿入されるようになっている。楔部材４の外周部には、溝部（図示せず）が設けられている。ロープ５は、溝部に沿って楔部材４に巻かれることにより反転されている。
【００１４】
ロープ５は、本体部５ａと、本体部５ａに連続し、楔部材４に巻かれた末端部（ロープ末端部）５ｂと、末端部５ｂに連続し、楔部材４による反転により反対方向へ戻された戻り部５ｃとを有している。
【００１５】
ロープ５は、第２の開口部６ｂからロープ通し穴６に挿入され、楔部材４によって戻された後、第２の開口部６ｂからロープ通し穴６の外へ引き出されている。即ち、本体部５ａ及び戻り部５ｃは、第２の開口部６ｂからロープ通し穴６の外へ引き出されている。
【００１６】
ロープ末端部５ｂは、第１の開口部６ａから第２の開口部６ｂの方向へ押し込まれることにより、楔部材４に巻かれた状態でソケット２に挿入される方向へ変位される。また、ロープ末端部５ｂは、ロープ通し穴６に押し込まれたときに、楔部材４とロープ通し穴６の内面との間に噛み込むようになっている。
【００１７】
楔式ロープ留め装置１には、楔部材４及びロープ末端部５ｂの交換作業をするときに楔式ロープ留め装置用治具７が取り付けられる。楔式ロープ留め装置用治具７は、ソケット２に着脱可能な支持体８と、支持体８に設けられた支点軸９を中心に回動可能な回動レバー１０とを有している。
【００１８】
図２に示すように、支持体８は、断面四角状の棒状部１１と、棒状部１１の端部に設けられている係合部１２とを有している。
【００１９】
棒状部１１には、複数の支点軸通し穴１３が棒状部１１の長手方向に沿って互いに間隔をおいて設けられている。係合部１２は、一対の爪状の引っ掛け部１２ａを有している。各引っ掛け部１２ａは、棒状部１１の幅方向について隙間を介して対向している。
【００２０】
支持体８は、ソケット２の第１の開口部６ａの外縁部２ａに引っ掛け部１２ａが係合されることにより、ソケット２に取り付けられる。また、支持体８は、ソケット２の第１の開口部６ａの外縁部２ａから引っ掛け部１２ａの係合が外れることにより、ソケット２から取り外される。
【００２１】
支点軸９は、支点軸通し穴１３に通されることにより支持体８に取り付けられる。支持体８に対する支点軸９の取り付け位置は、支点軸９が挿入される支点軸通し穴１３を変更することにより調整される。
【００２２】
図３に示すように、回動レバー１０は、支点軸９に取り付けられるレバー本体１４と、レバー本体１４の端部に取り付けられる円柱状の押圧ピン（押圧部）１５とを有している。
【００２３】
レバー本体１４は、棒状の持ち手部（加重部）１６と、持ち手部１６の端部から分岐して互いに対向する一対の分岐部１７とを有している。支点軸９及び押圧ピン１５は、各分岐部１７間に取り付けられる。また、押圧ピン１５は、支点軸９よりも持ち手部１６から離れた位置に取り付けられる。これにより、押圧ピン１５及び持ち手部１６は、支点軸９を中心とする回動レバー１０の回動により互いに逆方向へ変位される。
【００２４】
ここで、ロープ通し穴６に挿入された楔部材４及びロープ末端部５ｂがロープ通し穴６から外されるときには、係合部１２が第１の開口部６ａの外縁部２ａに係合されて支持体８がソケット２に取り付けられる（図１）。また、係合部１２が第１の開口部６ａの外縁部２ａに係合されているときには、楔部材４における第２の開口部６ｂ側の端部に当接する位置に押圧ピン１５が配置される。
【００２５】
係合部１２が第１の開口部６ａの外縁部２ａに係合されているときの押圧ピン１５は、回動レバー１０の回動により、第２の開口部６ｂから第１の開口部６ａへ楔部材４を押し出す方向へ変位可能になっている。即ち、係合部１２が第１の開口部６ａの外縁部２ａに係合されているときの押圧ピン１５は、外部からの力を持ち手部１６が受けて回動レバー１０が図１の矢印方向へ回動されることにより、ロープ通し穴６への挿入が外れる方向へ楔部材４及びロープ末端部５ｂに押圧力を与える。
【００２６】
図４は、図１の係合部１２が第２の開口部６ｂの外縁部に係合されている状態を示す要部断面図である。支持体８は、ソケット２の第２の開口部６ｂの外縁部２ｂに引っ掛け部１２ａが係合されることにより、ソケット２に取り付けられる。また、支持体８は、ソケット２の第２の開口部６ｂの外縁部２ｂから引っ掛け部１２ａの係合が外れることにより、ソケット２から取り外される。
【００２７】
ここで、楔部材４及びロープ末端部５ｂがロープ通し穴６へ挿入されるときには、係合部１２が第２の開口部６ｂの外縁部２ｂに係合されて支持体８がソケット２に取り付けられる（図４）。また、係合部１２が第２の開口部６ｂの外縁部２ｂに係合されているときには、ロープ末端部５ｂに当接する位置に押圧ピン１５が配置される。
【００２８】
係合部１２が第２の開口部６ｂの外縁部２ｂに係合されているときの押圧ピン１５は、回動レバー１０の回動により、第１の開口部６ａから第２の開口部６ｂへロープ末端部５ｂを押し込む方向へ変位可能になっている。即ち、係合部１２が第２の開口部６ｂの外縁部２ｂに係合されているときの押圧ピン１５は、外部からの力を持ち手部１６が受けて回動レバー１０が図４の矢印方向へ回動されることにより、ロープ通し穴６に挿入する方向へ楔部材４及びロープ末端部５ｂに押圧力を与える。
【００２９】
また、持ち手部１６の支点軸９から離れた側の端部と支点軸９との間の距離は、押圧ピン１５と支点軸９との間の距離よりも大きくなっている。従って、回動レバー１０は、持ち手部１６が受ける外部からの力が小さいときでも、梃子の原理によって楔部材４及びロープ末端部５ｂに押圧力を与えられるようになっている。
【００３０】
次に、楔式ロープ留め装置用治具７を組み立てるときの手順について説明する。まず、支点軸９及び押圧ピン１５を各分岐部１７間から取り外す。この後、支点軸９を各支点軸通し穴１３のいずれかに通す。
【００３１】
この後、支点軸９を各分岐部１７間に取り付ける。この後、押圧ピン１５を各分岐部１７間に取り付ける。これにより、楔式ロープ留め装置用治具７を組み立てる作業が完了する。
【００３２】
次に、楔部材４及びロープ末端部５ｂの取り外し作業について説明する。まず、押圧ピン１５を本体部５ａ及び戻り部５ｃ間に通し、押圧ピン１５を楔部材４における第２の開口部６ｂ側の端部に当接する位置へ配置させる。この後、引っ掛け部１２ａを第１の開口部６ａの外縁部２ａに係合させる。
【００３３】
この後、回動レバー１０を支持体８に対して支点軸９を中心に図１の矢印方向に回動させる。これにより、ロープ通し穴６への挿入が外れる方向へ楔部材４及びロープ末端部５ｂが押し出される。このようにして、楔部材４及びロープ末端部５ｂのソケット２に対する取り外し作業が完了する。
【００３４】
次に、楔部材４及びロープ末端部５ｂの挿入作業について説明する。まず、引っ掛け部１２ａを第２の開口部６ｂの外縁部２ａに係合させる。この後、押圧ピン１５をロープ末端部５ｂに当接する位置へ配置させる。
【００３５】
この後、回動レバー１０を支持体８に対して支点軸９を中心に図４の矢印方向に回動させる。これにより、ロープ通し穴６に挿入する方向へ楔部材４及びロープ末端部５ｂが押し込まれる。このようにして、楔部材４及びロープ末端部５ｂのソケット２に対する挿入作業が完了する。
【００３６】
このような楔式ロープ留め装置用治具７では、支持体８に設けられた支点軸９を中心に回動可能な回動レバー１０が加重部１６及び押圧部１５を有し、支持体８がソケット２に取り付けられているときには、外部からの力を加重部１６が受けて回動レバー１０が回動されることにより、通し穴６に挿入する方向及び通し穴６への挿入が外れる方向のいずれかへ押圧部１５が押圧力を楔部材４及びロープ末端部５ｂに与えるようになっているので、ドライバの先端部を凹部の内壁面に当接させ、ドライバの後端部を木槌などで叩くといった作業が不要となり、楔部材４の損傷を防止しつつ、楔部材４及びロープ末端部５ｂの交換作業をより容易に行うことができる。
【００３７】
また、支持体８が係合部１２を有しているので、係合部１２を第１の開口部６ａの外縁部２ａ及び第２の開口部６ｂの外縁部２ｂのいずれか一方に係合させることにより、支持体８をソケット２に取り付けることができる。従って、ソケット２に対する支持体８の着脱作業を容易に行うことができる。
【００３８】
さらに、棒状部１１には、複数の支点軸通し穴１３が棒状部１１の長手方向に沿って互いに間隔をおいて設けられており、支持体８に対する支点軸９の取り付け位置は、支点軸９が挿入される支点軸通し穴１３を変更することにより調整されるので、大きさの異なるソケット２に対して共通の楔式ロープ留め装置用治具７を用いることができる。
【００３９】
実施の形態２．
図５は本発明の実施の形態２によるエレベータの楔式ロープ留め装置１及び楔式ロープ留め装置用治具７を示す断面図、図６は図５のソケット２を示す斜視図である。ソケット２の外周部には、突起部１８が設けられている。突起部１８には、貫通穴１９が設けられている。また、突起部１８は、ロッド３の軸線から最も離れた距離Ｌに位置するソケット２の外周部よりも内側（軸線側）に配置されている。
【００４０】
貫通穴１９は、第１の開口部６ａ側に設けられた上側開口部１９ａと、第２の開口部６ｂ側に設けられた下側開口部１９ｂとを有している。上側開口部１９ａ及び下側開口部１９ｂの内径は、同じ大きさとなっている。
【００４１】
楔式ロープ留め装置用治具７の支持体２０は、断面円形状の棒状部２１と、棒状部２１の端部に設けられている係合部２２とを有している。
【００４２】
棒状部２１の外径は、貫通穴１９の内径よりも小さくされている。また、棒状部２１には、複数の支点軸通し穴２３が棒状部２１の長手方向に沿って互いに間隔をおいて設けられている。係合部２２は、貫通穴１９の内径よりも大きく形成されている。
【００４３】
支持体２０は、貫通穴１９に棒状部２１が挿入された状態で突起部１８の上面及び下面のいずれかに係合部２２が係合されることにより、ソケット２に取り付けられる。また、支持体２０は、貫通穴１９から棒状部２１が抜かれることにより、ソケット２から取り外される。
【００４４】
ここで、ロープ通し穴６に挿入された楔部材４及びロープ末端部５ｂがロープ通し穴６から外されるときには、棒状部２１が上側開口部１９ａから貫通穴１９に挿入され、係合部２２が突起部１８の上面に係合される（図５）。また、楔部材４及びロープ末端部５ｂがロープ通し穴６に挿入されるときには、棒状部２１が下側開口部１９ｂから貫通穴１９に挿入され、係合部２２が突起部１８の下面に係合される。他の構成は、実施の形態１と同様である。
【００４５】
次に、楔部材４及びロープ末端部５ｂの取り外し作業について説明する。まず、楔式ロープ留め装置用治具７を支点軸９、回動レバー１０及び支持体２０に解体する。この後、棒状部２１を上側開口部１９ａから貫通穴１９に挿入し、係合部２２を突起部１８の上面に係合させる。この後、本体部５ａ及び戻り部５ｃ間に押圧ピン１５を通し、押圧ピン１５を楔部材４における第２の開口部６ｂ側の端部に当接する位置へ配置させる。この後、支点軸９を支点軸通し穴２３に通す。この後、支点軸９を各分岐部１７間に取り付ける。
【００４６】
この後、回動レバー１０を支持体２０に対して支点軸９を中心に図５の矢印方向に回動させる。これにより、ロープ通し穴６への挿入が外れる方向へ楔部材４及びロープ末端部５ｂが押し出される。このようにして、楔部材４及びロープ末端部５ｂのソケット２に対する取り外し作業が完了する。
【００４７】
次に、楔部材４及びロープ末端部５ｂの挿入作業について説明する。棒状部２１を下側開口部１９ｂから貫通穴１９に挿入し、係合部２２を突起部１８の下面に係合させる。この後、押圧ピン１５をロープ末端部５ｂに当接する位置へ配置させる。
【００４８】
この後、回動レバー１０を支持体２０に対して支点軸９を中心に楔部材４及びロープ末端部５ｂがロープ通し穴６に挿入する方向へ回動させる。これにより、ロープ通し穴６に挿入する方向へ楔部材４及びロープ末端部５ｂが押し込まれる。このようにして、楔部材４及びロープ末端部５ｂのソケット２に対する挿入作業が完了する。
【００４９】
このような楔式ロープ留め装置用治具７では、ソケット２の外周部に貫通穴１９が設けられた突起部１８が設けられており、支持体２０が、棒状部２１と、棒状部２１の端部に設けられている係合部２２とを有しているので、棒状部２１が貫通穴１９に通された状態で係合部２２を突起部１８の上面及び下面のいずれかに係合させることにより、支持体２０をソケット２に取り付けることができる。従って、ソケット２に対する支持体２０の着脱作業を容易に行うことができる。
【００５０】
また、突起部１８は、ロッド３の軸線から最も離れた距離Ｌに位置するソケット２の外周部よりも内側（軸線側）に配置されているので、ソケット２の大型化を防止することができる。
【００５１】
実施の形態３．
図７は本発明の実施の形態３によるエレベータの楔式ロープ留め装置１及び楔式ロープ留め装置用治具７を示す側面図、図８は図７の支持体を示す斜視図である。楔式ロープ留め装置用治具７の支持体２４は、断面四角状の棒状部２５と、棒状部２５の端部に設けられている係合部２６とを有している。
【００５２】
棒状部２５には、複数の支点軸通し穴２７が棒状部２５の長手方向に沿って互いに間隔をおいて設けられている。
【００５３】
係合部２６は、一対の支持部２８と、円柱状の係合ピン２９とを有している。各支持部２８は、棒状部２５の幅方向について隙間を介して対向している。係合ピン２９は、各支持部２８間に着脱可能となっている。
【００５４】
支持体２４は、ロッド３に係合ピン２９が係合されることにより、ソケット２に取り付けられる。また、支持体２４は、ロッド３から係合ピン２９の係合が外れることにより、ソケット２から取り外される。
【００５５】
次に、楔部材４及びロープ末端部５ｂの取り外し作業について説明する。係合ピン２９は、各支持部２８間から予め外しておく。まず、本体部５ａ及び戻り部５ｃ間に押圧ピン１５を通し、押圧ピン１５を楔部材４における第２の開口部６ｂ側の端部に当接する位置へ配置させる。この後、各支持部２８間の隙間にロッド３を配置させる。この後、係合ピン２９を各支持部２８間に取り付ける。
【００５６】
この後、回動レバー１０を支持体２４に対して支点軸９を中心に図７の矢印方向に回動させる。これにより、ロープ通し穴６への挿入が外れる方向へ楔部材４及びロープ末端部５ｂが押し出される。このようにして、楔部材４及びロープ末端部５ｂのソケット２に対する取り外し作業が完了する。
【００５７】
次に、楔部材４及びロープ末端部５ｂの挿入作業について説明する。まず、各支持部２８間から係合ピン２９を取り外し、各支持部２８間の隙間にロッド３を配置させる。この後、係合ピン２９を各支持部２８間に取り付ける。この後、押圧ピン１５をロープ末端部５ｂに当接する位置へ配置させる。
【００５８】
この後、回動レバー１０を支持体２４に対して支点軸９を中心に楔部材４及びロープ末端部５ｂがロープ通し穴６に挿入する方向へ回動させる。これにより、ロープ通し穴６に挿入する方向へ楔部材４及びロープ末端部５ｂが押し込まれる。このようにして、楔部材４及びロープ末端部５ｂのソケット２に対する挿入作業が完了する。
【００５９】
このような楔式ロープ留め装置用治具７では、支持体２４が係合部２６を有しているので、係合部２６をロッド３に係合させることにより、支持体２４をソケット２に取り付けることができる。従って、ソケット２に対する支持体２４の着脱作業を容易に行うことができる。
【００６０】
なお、各上記実施の形態では、エレベータの楔式ロープ留め装置に本発明の楔式ロープ留め装置用治具が適用されているが、例えば、クレーンの楔式ロープ留め装置に本発明の楔式ロープ留め装置用治具を適用してもよい。
【符号の説明】
【００６１】
２  ソケット、２ａ，２ｂ  外縁部、３  ロッド、４  楔部材、５ｂ  ロープ末端部、６  ロープ通し穴、６ａ  第１の開口部、６ｂ  第２の開口部、７  楔式ロープ留め装置用治具、８，２０，２４  支持体、９  支点軸、１０  回動レバー、１１，２１，２５  棒状部、１２，２２，２６  係合部、１５  押圧ピン（押圧部）、１６  持ち手部（加重部）、１８  突起部、１９  貫通穴。
【図１】
2010216519.tif 000003
【図２】
2010216519.tif 000004
【図３】
2010216519.tif 000005
【図４】
2010216519.tif 000006
【図５】
2010216519.tif 000007
【図６】
2010216519.tif 000008
【図７】
2010216519.tif 000009
【図８】
2010216519.tif 000010